(57)【要約】      （修正有）【課題】コンテンツを保有する携帯端末の把握が容易な技術を提供する。【解決手段】コンテンツデータを表示するコンテンツ出力システムであって、前記コンテンツデータを有する複数の携帯端末２と、前記複数の携帯端末２と通信可能な状態で接続され、該携帯端末２からコンテンツデータを取得して、当該コンテンツデータを表示するコンテンツ表示装置３と、を備え、前記コンテンツ表示装置３は、前記コンテンツデータと、該コンテンツデータを有する携帯端末２とを対応付けてコンテンツデータを表示する。【選択図】図１
2015115681.tif 000002
【特許請求の範囲】
【請求項１】
コンテンツデータを表示するコンテンツ出力システムであって、
前記コンテンツデータを有する複数の携帯端末と、
前記複数の携帯端末と通信可能な状態で接続され、該携帯端末からコンテンツデータを取得して、当該コンテンツデータを表示するコンテンツ表示装置と、を備え、
前記コンテンツ表示装置は、前記コンテンツデータと、該コンテンツデータを有する携帯端末とを対応付けてコンテンツデータを表示することを特徴とするコンテンツ出力システム。
【請求項２】
請求項１に記載のコンテンツ出力システムにおいて、
前記複数の携帯端末が同一のコンテンツデータを有している場合には、
前記コンテンツ表示装置は、該コンテンツデータを表示する領域を分割して、領域毎に各携帯端末と対応付けて表示することを特徴とするコンテンツ出力システム。
【請求項３】
請求項１又は２に記載のコンテンツ出力システムにおいて、
前記コンテンツ表示装置と接続が切断された携帯端末がある場合、前記コンテンツ表示装置は、該接続が切断された携帯端末が有するコンテンツデータの表示を接続時の表示色と異なる色で表示することを特徴とするコンテンツ出力システム。
【請求項４】
請求項３に記載のコンテンツ出力システムにおいて、
前記接続が切断された携帯端末が再度コンテンツ表示装置と接続された場合、前記コンテンツ表示装置は、該再接続された携帯端末が有するコンテンツデータを、接続が切断される前の接続時の表示色で表示することを特徴とするコンテンツ出力システム。
【請求項５】
請求項１ないし４のいずれか１項に記載のコンテンツ出力システムにおいて、
前記携帯端末側で自端末が有するコンテンツデータを非表示にする旨の設定をした場合には、
前記コンテンツ表示装置は、非表示の設定をしたコンテンツデータを表示しないことを特徴とするコンテンツ出力システム。
【請求項６】
コンテンツを出力するコンテンツ出力システムであって、
コンテンツデータを有する複数の携帯端末と、
前記複数の携帯端末と通信可能な状態で接続され、該携帯端末からコンテンツデータを取得して、当該コンテンツを出力するコンテンツ出力装置と、を備え、
前記コンテンツ出力装置は、前記複数の携帯端末を順番に選択し、該選択された携帯端末が有するコンテンツを出力することを特徴とするコンテンツ出力システム。
【請求項７】
コンテンツを出力するコンテンツ出力システムであって、
コンテンツデータを有する複数の携帯端末と、
前記複数の携帯端末と通信可能な状態で接続され、該携帯端末からコンテンツデータを取得して、当該コンテンツを出力するコンテンツ出力装置と、を備え、
前記コンテンツ出力装置は、出力中のコンテンツを有する携帯端末以外の携帯端末を選択し、該選択された携帯端末が有するコンテンツを次に出力することを特徴とするコンテンツ出力システム。
【請求項８】
コンテンツを出力するコンテンツ出力システムであって、
コンテンツデータを有する複数の携帯端末と、
前記複数の携帯端末と通信可能な状態で接続され、該携帯端末からコンテンツデータを取得して、当該コンテンツを出力するコンテンツ出力装置と、を備え、
出力要求のあったコンテンツデータを複数の携帯端末が有しているときは、前記コンテンツ出力装置は、電池残量の多い携帯端末からコンテンツデータを取得することを特徴とするコンテンツ出力システム。
【請求項９】
携帯端末から取得したコンテンツデータをコンテンツ表示装置に表示するコンテンツ出力方法であって、
（ａ）前記コンテンツ表示装置と複数の携帯端末とを通信可能な状態で接続する工程と、
（ｂ）前記コンテンツデータと、該コンテンツデータを有する携帯端末とを対応付けてコンテンツデータを表示する工程と、を有することを特徴とするコンテンツ出力方法。
【発明の詳細な説明】
【技術分野】
【０００１】
本発明は、音楽等のコンテンツを出力する技術に関する。
【背景技術】
【０００２】
従来より、携帯端末と車載機とを有線又は無線で接続し、携帯端末に保存されている音楽等のコンテンツを車載機から出力する技術が知られている。車両内に複数の携帯端末が持ち込まれて、各々の携帯端末が車載機と無線で接続している場合には、いずれかの携帯端末に保存されている音楽等のコンテンツが車載機から出力される。また、この場合、ユーザが出力可能なコンテンツを把握するために、コンテンツのリストが車載機に表示されるようになっている。なお、本発明と関連する技術としては、例えば、特許文献１がある。
【先行技術文献】
【特許文献】
【０００３】
【特許文献１】特開2008-21337号公報
【発明の概要】
【発明が解決しようとする課題】
【０００４】
しかしながら、複数の携帯端末と車載機とが接続した状態でコンテンツをリスト表示する場合、各携帯端末が有するコンテンツを全てリスト表示することになるため、いずれの携帯端末が有するコンテンツであるのかが把握できない。また、複数の携帯端末が同一のコンテンツを有している場合もあるが、このような場合に、複数の携帯端末が有するコンテンツを車載機にリスト表示すると、同一のコンテンツが複数表示されることとなり、ユーザにとって利便性が悪い。
【０００５】
本発明は、上記課題に鑑みてなされたものであり、複数の携帯端末と車載機とが接続した状態でコンテンツのリスト表示をする場合であっても、コンテンツを保有する携帯端末の把握が容易であり、また、同一コンテンツの重複表示を防止する技術を提供することを目的とする。
【課題を解決するための手段】
【０００６】
上記課題を解決するため、請求項１の発明は、コンテンツデータを表示するコンテンツ出力システムであって、前記コンテンツデータを有する複数の携帯端末と、前記複数の携帯端末と通信可能な状態で接続され、該携帯端末からコンテンツデータを取得して、当該コンテンツデータを表示するコンテンツ表示装置と、を備え、前記コンテンツ表示装置は、前記コンテンツデータと、該コンテンツデータを有する携帯端末とを対応付けてコンテンツデータを表示するコンテンツ出力システムである。
【０００７】
また、請求項２の発明は、請求項１に記載のコンテンツ出力システムにおいて、前記複数の携帯端末が同一のコンテンツデータを有している場合には、前記コンテンツ表示装置は、該コンテンツデータを表示する領域を分割して、領域毎に各携帯端末と対応付けて表示する。
【０００８】
また、請求項３の発明は、請求項１又は２に記載のコンテンツ出力システムにおいて、前記コンテンツ表示装置と接続が切断された携帯端末がある場合、前記コンテンツ表示装置は、該接続が切断された携帯端末が有するコンテンツデータの表示を接続時の表示色と異なる色で表示する。
【０００９】
また、請求項４の発明は、請求項３に記載のコンテンツ出力システムにおいて、前記接続が切断された携帯端末が再度コンテンツ表示装置と接続された場合、前記コンテンツ表示装置は、該再接続された携帯端末が有するコンテンツデータを、接続が切断される前の接続時の表示色で表示する。
【００１０】
また、請求項５の発明は、請求項１ないし４のいずれか１項に記載のコンテンツ出力システムにおいて、前記携帯端末側で自端末が有するコンテンツデータを非表示にする旨の設定をした場合には、前記コンテンツ表示装置は、非表示の設定をしたコンテンツデータを表示しない。
【００１１】
また、請求項６の発明は、コンテンツを出力するコンテンツ出力システムであって、コンテンツデータを有する複数の携帯端末と、前記複数の携帯端末と通信可能な状態で接続され、該携帯端末からコンテンツデータを取得して、当該コンテンツを出力するコンテンツ出力装置と、を備え、前記コンテンツ出力装置は、前記複数の携帯端末を順番に選択し、該選択された携帯端末が有するコンテンツを出力するコンテンツ出力システムである。
【００１２】
また、請求項７の発明は、コンテンツを出力するコンテンツ出力システムであって、コンテンツデータを有する複数の携帯端末と、前記複数の携帯端末と通信可能な状態で接続され、該携帯端末からコンテンツデータを取得して、当該コンテンツを出力するコンテンツ出力装置と、を備え、前記コンテンツ出力装置は、出力中のコンテンツを有する携帯端末以外の携帯端末を選択し、該選択された携帯端末が有するコンテンツを次に出力するコンテンツ出力システムである。
【００１３】
また、請求項８の発明は、コンテンツを出力するコンテンツ出力システムであって、コンテンツデータを有する複数の携帯端末と、前記複数の携帯端末と通信可能な状態で接続され、該携帯端末からコンテンツデータを取得して、当該コンテンツを出力するコンテンツ出力装置と、を備え、出力要求のあったコンテンツデータを複数の携帯端末が有しているときは、前記コンテンツ出力装置は、電池残量の多い携帯端末からコンテンツデータを取得するコンテンツ出力システムである。
【００１４】
また、請求項９の発明は、携帯端末から取得したコンテンツデータをコンテンツ表示装置に表示するコンテンツ出力方法であって、（ａ）前記コンテンツ表示装置と複数の携帯端末とを通信可能な状態で接続する工程と、（ｂ）前記コンテンツデータと、該コンテンツデータを有する携帯端末とを対応付けてコンテンツデータを表示する工程と、を有するコンテンツ出力方法である。
【発明の効果】
【００１５】
請求項１ないし５又は９の発明によれば、コンテンツデータとそのコンテンツデータを有する携帯端末とを対応付けて表示するため、複数の携帯端末が有するコンテンツデータを一画面に表示する場合であっても、いずれの携帯端末が有するコンテンツであるかの把握が容易になる。
【００１６】
また、請求項２の発明によれば、複数の携帯端末が同一のコンテンツデータを有する場合に、携帯端末毎にコンテンツデータを表示するのではなく、１つのコンテンツデータの領域を分割することにより、重複表示を回避することができるとともに、そのコンテンツデータを有する携帯端末との対応付けも可能となる。
【００１７】
また、請求項３又は４の発明によれば、携帯端末がコンテンツ表示装置との接続が切断された場合であっても、切断された状態であることを把握することができる。また、再接続された場合であっても、切断前の状態と同じ表示をすることでコンテンツデータと携帯端末との対応付けを容易に把握することができる。
【００１８】
また、請求項５の発明によれば、ユーザがコンテンツデータの表示及び非表示の設定を任意に行うことができる。
【００１９】
また、請求項６ないし８の発明によれば、特定の携帯端末が有するコンテンツデータのみを連続して再生することがないため、偏った再生を回避することができ、その結果、複数の携帯端末が接続している場合においても、略均等な再生が可能になる。
【図面の簡単な説明】
【００２０】
【図１】図１は、コンテンツ出力システムの概要を示す図である。
【図２】図２は、携帯端末の構成を示すブロック図である。
【図３】図３は、プレイリストの例を示す図である。
【図４】図４は、統合プレイリストの例を示す図である。
【図５】図５は、車載機の構成を示すブロック図である。
【図６】図６は、コンテンツ出力システムの処理を示すフローチャートである。
【図７】図７は、車載機の表示例を示す図である。
【図８】図８は、車載機の表示例を示す図である。
【図９】図９は、車載機の処理を示すフローチャートである。
【図１０】図１０は、車載機の表示例を示す図である。
【図１１】図１１は、車載機の表示例を示す図である。
【図１２】図１２は、車載機の表示例を示す図である。
【図１３】図１３は、携帯端末の表示例を示す図である。
【図１４】図１４は、予約リストメモリの例を示す図である。
【図１５】図１５は、予約リストの表示例を示す図である。
【発明を実施するための形態】
【００２１】
以下、図面を参照しつつ本発明の実施の形態について説明する。
【００２２】
＜１．実施の形態＞
＜１−１．システムの概要＞
図１は、本実施の形態のコンテンツ出力システム１の概要を示す図である。コンテンツ出力システム１は、複数の携帯端末２（２ａ、２ｂ、２ｃ・・・）と車載機３とを含んで構成されている。また、本実施の形態では、複数の携帯端末２（２ａ、２ｂ、２ｃ・・・）が車両内に持ち込まれた際に、各携帯端末２（２ａ、２ｂ、２ｃ・・・）と車載機３とが無線接続された状態を例に挙げて説明する。なお、以下においては、複数の携帯端末を一括して説明する際には「携帯端末２」と記載し、個別の携帯端末について説明する際には「携帯端末２ａ」などと記載する。
【００２３】
携帯端末２は、ユーザが所持する可搬型の電子機器であり、例えば、スマートフォン、タブレット、携帯電話等である。携帯端末２は、音楽や動画等のコンテンツデータを保存しており、ユーザの操作によってコンテンツの再生や停止、曲送りなどの処理を行う。また、携帯端末２は、車載機３との通信が可能な構成を有しており、この車載機３との間でデータの送受信を行うようになっている。
【００２４】
車載機３は、各携帯端末２が保有するコンテンツのリストをディスプレイ等に表示する電子機器である。また、車載機３は、携帯端末２に保存されている音楽や動画等のコンテンツの内容を外部に出力する電子機器でもある。本実施の形態の車載機３は、各コンテンツとそれを保有する携帯端末とを対応付けた表示や、同一のコンテンツを複数の携帯端末が保有している場合にも重複しないリスト表示を可能としている。また、車載機３は、スピーカ等から音を出力したり、ディスプレイ等に映像を表示したりする。すなわち、本実施の形態においては、コンテンツデータの表示やコンテンツの再生等をコンテンツの出力と総称することとし、本実施の形態における車載機３は、コンテンツ表示装置でもありコンテンツ出力装置でもある。
【００２５】
また、車載機３は、車内に持ち込まれた携帯端末２との通信が可能な構成を有しており、接続された携帯端末２とデータの送受信を行うようになっている。なお、車載機３は、車両のダッシュボードの開口部に設置して使用する、いわゆる嵌め込み型の電子機器や、ダッシュボード上に設置部材を用いて設置して使用する電子機器等、車両に乗車しているユーザが、ディスプレイ等に表示された画像を視認可能な電子機器であればよい。
【００２６】
このように、本実施の形態におけるコンテンツ出力システム１は、車載機３と、車両内に持ち込まれた複数の携帯端末２とが無線又は有線で接続されており、各携帯端末２に保存されているコンテンツのリストを表示する際に、コンテンツの情報の把握が容易な表示を可能とするシステムである。以下、コンテンツ出力システム１の構成及び処理について詳細に説明する。
【００２７】
＜１−２．携帯端末の構成＞
まず、携帯端末２の構成について説明する。図２は、携帯端末２の概略構成を示す図である。携帯端末２は、通信部２１と、記憶部２２と、表示部２３と、制御部２４とを主に備えている。
【００２８】
通信部２１は、Ｗｉ−Ｆｉ（ワイファイ：登録商標）等による無線通信により車載機３と通信可能な状態で接続され、かかる車載機３との間で各種データの送受信を行う。なお、通信部２１は、Ｗｉ−Ｆｉの他、ブルートゥース（Bluetooth：登録商標）やＺｉｇＢｅｅ（ジグビー：登録商標）等の他の無線通信規格を用いてもよい。また、携帯端末２は、通信部２１を介して無線ではなく有線で車載機３と接続されていてもよい。
【００２９】
記憶部２２は、例えばフラッシュメモリなどの不揮発性の記憶装置であり、制御用のプログラム２２ａや、アプリケーション２２ｂ、コンテンツデータ２２ｃ、統合プレイリスト２２ｄなどが記憶されている。ユーザがアプリケーション２２ｂを操作して実行することにより、アプリケーション２２ｂの有する機能が実現される。なお、このようなアプリケーション２２ｂとしては、例えば音楽や動画の再生や停止などの処理を行うためのアプリケーションがある。
【００３０】
コンテンツデータ２２ｃは、音楽や動画などの各コンテンツに関するデータである。つまり、コンテンツデータ２２ｃは、音楽データや動画データともいえる。この音楽データや動画データは、曲や映像そのもののデータの他に、タイトルやアーティスト名のデータなども含む。なお、以下では、説明の便宜上、コンテンツデータ２２ｃとして音楽データを用いた場合を例に挙げて説明する。
【００３１】
統合プレイリスト２２ｄは、車載機３に接続している携帯端末２が有する全ての音楽データを統合したプレイリストである。すなわち、統合プレイリスト２２ｄは、車載機３に複数の携帯端末２が接続されている場合に、各携帯端末２が有する音楽データの全プレイリストを一つにまとめたものである。したがって、統合プレイリスト２２ｄは、音楽データとそれを保存している携帯端末２とが対応付けられた情報となっている。
【００３２】
ここで、統合プレイリスト２２ｄについて図３及び図４を用いて具体的に説明する。図３は、各携帯端末２が有するプレイリストの例を示す図である。図３（ａ）は、携帯端末２ａが保存している音楽データのプレイリストを示している。図３（ｂ）は、携帯端末２ｂが保存している音楽データのプレイリストを示している。図３（ｃ）は、携帯端末２ｃが保存している音楽データのプレイリストを示している。図３（ａ）〜図３（ｃ）に示すように、各携帯端末２は、自端末が保有する音楽データのプレイリストを有している。
【００３３】
また、図４は、各携帯端末２及び車載機３が有する統合プレイリスト２２ｄの例を示す図である。図４に示すように、統合プレイリストは、車載機３と接続している各携帯端末２が保有する音楽データを１つにまとめたプレイリストである。つまり、車載機３が、各携帯端末２の各プレイリストを統合して１つのプレイリストを作成している。作成された統合プレイリストは、各携帯端末２に送信され、その結果、車載機３及び全ての携帯端末２が同じ統合プレイリストを有することになる。
【００３４】
なお、統合プレイリストでは、音楽データのタイトルやアルバム名、アーティスト名、保有している携帯端末などが対応付けられている。例えば、図４に示す統合プレイリストでは、タイトルが「明日から」で、アルバム名が「ＡＡＡ」で、アーティスト名が「ＺＺＺ」の音楽データを携帯端末２ａが保存していることを示している。このように、統合プレイリストは、その音楽データを保存している場所（保存している携帯端末）と対応付けられている。この保存場所は、音楽データが保存されている場所を特定できるものであればよく、その場所のＵＲＬなどを用いることもできる。また、統合プレイリストは、さらに、音楽データのファイル形式などのデータを含んでいてもよい。
【００３５】
図２に戻り、表示部２３は、統合プレイリストに基づいて作成された表示用データなどを表示するディスプレイである。表示用データについて後述する。表示部２３としては、例えば、液晶ディスプレイや有機ＥＬディスプレイなどを用いることができる。
【００３６】
制御部２４は、例えば、ＣＰＵ、ＲＡＭ、及び、ＲＯＭなどを備えるマイクロコンピュータであり、携帯端末２の全体を制御する。制御部２４のＣＰＵが記憶部２２に記憶されたプログラム２２ａを実行する（プログラム２２ａに従った演算処理を行う）ことにより、制御部２４として必要な各種の機能が実現される。
【００３７】
図２に示す通信制御部２４ａ、表示制御部２４ｂ及び再生制御部２４ｃは、プログラム２２ａの実行により実現される制御部２４の機能のうちの一部である。
【００３８】
通信制御部２４ａは、携帯端末２と車載機３との間の通信を制御する。具体的には、通信制御部２４ａは、車載機３との間で行われるデータの送受信を制御する。例えば、通信制御部２４ａは、通信部２１を制御して、自端末が保有するプレイリストのデータを車載機３に送信させる。
【００３９】
表示制御部２４ｂは、画像や文字等のデータを表示部２３に表示させる制御を行う。例えば、統合プレイリストを表示部２３に表示する際に、表示制御部２４ｂは、各音楽データとそれを保有しているユーザ（携帯端末２）との対応関係が把握できるような表示用データを作成して表示部２３に表示させる制御を行う。
【００４０】
再生制御部２４ｃは、音楽等のコンテンツの再生や停止などの処理を行う。具体的には、再生等の指示のあったコンテンツデータ２２ｃを車載機から出力可能なフォーマットのデータ（出力用データ）に変換する。記憶部２２に記憶されているコンテンツデータ２２ｃは所定のフォーマットに圧縮されたデータであり、このままでは出力できないため、携帯端末２は、出力用データに変換するための信号処理を行っている。
【００４１】
＜１−３．車載機の構成＞
次に、車載機３について説明する。図５は、車載機３の概略構成を示す図である。車載機３は、通信部３１と、音声出力部３２と、表示部３３と、記憶部３４と、制御部３５とを主に備えている。
【００４２】
通信部３１は、Ｗｉ−Ｆｉ等による無線通信により携帯端末２と通信可能な状態で接続され、かかる携帯端末２との間で各種データの送受信を行う。また、通信部３１は、Ｗｉ−Ｆｉ以外の他の無線通信規格や有線での接続を用いることもでき、この点は上述した携帯端末２の通信部２１と同様である。
【００４３】
音声出力部３２は、携帯端末２で音楽データを出力用データに変換した後の音声データ（アナログ音声波形信号）を外部に出力するスピーカである。このように、車載機３は、携帯端末２が音楽データから変換した出力用データのうちの音声データを、音声出力部３２を通じて外部に出力することで、ユーザは音楽データに対応する楽曲を聴くことが可能になる。
【００４４】
表示部３３は、携帯端末２で変換した出力用データのうちの映像データを出力するディスプレイである。また、表示部３３は、統合プレイリスト３４ｂに基づいて作成された表示用データなども表示する。表示用データについては後述する。表示部３３としては、例えば、液晶ディスプレイや有機ＥＬディスプレイなどを用いることができる。
【００４５】
記憶部３４は、例えばフラッシュメモリなどの不揮発性の記憶装置であり、制御用のプログラム３４ａや統合プレイリスト３４ｂなどが記憶されている。統合プレイリスト３４ｂは、上述したとおり、車載機３に複数の携帯端末２が接続している場合に、車載機３が、各携帯端末２が有する音楽データの各プレイリストを一つにまとめて作成したプレイリストである。記憶部３４が有する統合プレイリスト３４ｂも携帯端末２が有する統合プレイリスト２２ｄと同様であり、全ての携帯端末２及び車載機３は、各々同じ統合プレイリストを有していることになる。
【００４６】
制御部３５は、例えば、ＣＰＵ、ＲＡＭ、及び、ＲＯＭなどを備えるマイクロコンピュータであり、車載機３の全体を制御する。制御部３５のＣＰＵが記憶部３４に記憶されたプログラム３４ａを実行する（プログラム３４ａに従った演算処理を行う）ことにより、制御部３５として必要な各種の機能が実現される。
【００４７】
図５に示す通信制御部３５ａ、表示制御部３５ｂ及び再生制御部３５ｃは、プログラム３４ａの実行により実現される制御部３６の機能のうちの一部である。
【００４８】
通信制御部３５ａは、携帯端末２と車載機３との間の通信を制御する。具体的には、通信制御部３５ａは、車載機３との間で行われるデータの送受信を制御する。例えば、通信制御部３５ａは、通信部３１を制御して、統合プレイリストのデータを各携帯端末２に対して送信させる。また、通信制御部３５ａは、携帯端末２との通信が維持されているか又は解除されたかも判断するようになっている。
【００４９】
表示制御部３５ｂは、画像や文字等のデータを表示部３３に表示させる制御を行う。例えば、表示制御部２４ｂは、統合プレイリストに基づいて作成された表示用データを表示部３３に表示させる制御を行う。具体的には、表示制御部３５ｂは、統合プレイリストを表示部３３に表示する際には、各音楽データとそれを保有しているユーザ（携帯端末２）との対応関係が把握できるような表示用データを作成し、表示部３３に表示させる。また、表示制御部３５ｂは、複数の携帯端末２が同じ音楽データを保有している場合においても、その音楽データを重複表示することなく、しかも保有しているユーザの把握が容易に可能な表示用データを作成して表示部３３に表示させる制御を行う。
【００５０】
再生制御部３５ｃは、複数の携帯端末２が保有する全コンテンツの中から再生するコンテンツを決定する処理などを行う。具体的には、再生制御部３５ｃは、音楽等のコンテンツを再生する際に、再生するコンテンツが特定の携帯端末が保有するコンテンツに偏ることの無いように決定する。
【００５１】
＜１−４．システムの処理＞
次に、コンテンツ出力システム１の処理について説明する。図６は、コンテンツ出力システム１の処理のフローチャートである。本実施の形態では、車載機３に３つの携帯端末（第１携帯端末２ａ、第２携帯端末２ｂ及び第３携帯端末２ｃ）が接続されている状態を例に挙げて説明する。ただし、いずれの携帯端末も同様の処理をするため、図６では第１携帯端末２ａを代表例として説明する。
【００５２】
図６に示すフローチャートでは、車載機３の電源が投入されて起動している状態において、第１携帯端末２ａが車両内に持ち込まれると処理が開始される。第１携帯端末２が車両内に持ち込まれると、第１携帯端末２ａは車載機３と接続を確立する（ステップＳ１０）。接続は、上述したように無線又は有線で行われる。第１携帯端末２ａが車載機３と接続すると、第１携帯端末２ａは、自端末が保存している音楽データのプレイリストを車載機３に送信する（ステップＳ１１）。そして、車載機３は、第１携帯端末２ａから送信されたプレイリストを受信する（ステップＳ１２）。
【００５３】
車載機３は、第１携帯端末２ａの他にも第２携帯端末２ｂ及び第３携帯端末２ｃからも各携帯端末に保存されている音楽データのプレイリストを取得する。そして、車載機３は、接続されている全ての携帯端末２からプレイリストを取得すると、統合プレイリストを作成する（ステップＳ１３）。つまり、車載機３は、各携帯端末２から取得した全てのプレイリストのデータをまとめ、かつ、各コンテンツデータ（音楽データ）と保存している携帯端末とを対応付けた統合プレイリストを作成する。
【００５４】
そして、車載機３は、作成した統合プレイリストのデータを各携帯端末２に送信し（ステップＳ１４）、各携帯端末２は、車載機３から送信された統合プレイリストを受信する（ステップＳ１５）。これにより、車載機３及び各携帯端末２が同じ統合プレイリストを共有することになる。
【００５５】
次いで、車載機３は、統合プレイリストの表示用データを作成する（ステップＳ１６）。表示用データとは、統合プレイリストのデータを表示部に表示する際の画像データである。つまり、表示用データは、ユーザの見易さや情報の把握し易さを考慮してコンテンツ名やアーティスト名などのデータを加工した画像データである。そして、車載機３は、作成した表示用データを表示部に表示する（ステップＳ１７）。
【００５６】
ここで、表示用データを表示部に表示する例について図７及び図８を用いて説明する。図７及び図８は、表示用データの表示例を示す図である。図７及び図８に示すように、表示用データには、車載機３と接続している各携帯端末２のユーザがメンバーとして表示されている。具体的には、第１携帯端末２ａのユーザを示すアイコン４２ａと、第２携帯端末２ｂのユーザを示すアイコン４２ｂと、第３携帯端末２ｃのユーザを示すアイコン４２ｃとが表示されている。
【００５７】
また、表示用データには、コンテンツデータ（音楽データ）のリストも表示されている。具体的には、音楽データのタイトルと、アルバム名と、アーティスト名とが表示されている。また、各携帯端末２に保存されている音楽データが表示されており、各音楽データと、それが保存されている携帯端末２とが対応付けられて表示されている。本実施の形態における対応付けの具体的な例として、図７では、第１携帯端末２ａで保存している音楽データが「横線」で表示され、第２携帯端末２ｂで保存している音楽データが「縦線」で表示され、第３携帯端末２ｃで保存している音楽データが「斜線」で表示されている。そして、各携帯端末２のユーザを示すアイコン４２ａ〜４２ｃにも同様の表示がされており、これにより携帯端末と音楽データとが対応付けられている。
【００５８】
ただし、対応付けはこれに限定されるものではなく、色により対応付けてもよい。例えば、第１携帯端末２ａで保存している音楽データを「赤色」で表示し、第２携帯端末２ｂで保存している音楽データを「青色」で表示し、第３携帯端末２ｃで保存している音楽データを「黄色」で表示するなどである。この場合には、各携帯端末２のユーザを示すアイコン４２ａ〜４２ｃも、各々「赤色」「青色」「黄色」で表示する（例えば、背景色や枠を当該色とする）。
【００５９】
このように、車両内に持ち込まれた携帯端末２（ユーザ）と音楽データとを対応付けて表示することにより、全ての携帯端末２の音楽データを統合した統合プレイリストのデータを表示する際に、いずれの携帯端末２に保存されている音楽データであるかを容易に把握することができる。
【００６０】
なお、複数の携帯端末が同じ音楽データを保存している場合もある。この場合、各携帯端末２に保存されている音楽データを全て表示すると、同じ音楽データを重複して表示することになる。このため、本実施の形態では、同じ音楽データを重複して表示することなく、かつ、保存している携帯端末を区別することができるように表示している。具体的な例を図８に示す。
【００６１】
図８では、タイトル「あの国まで」の音楽データが、第１携帯端末２ａ、第２携帯端末２ｂ及び第３携帯端末２ｃに保存されている例を示している。図８に示すように、複数の携帯端末２が保存している音楽データであってもリストは１つだけ表示し、保存している携帯端末の対応付けを部分的に行っている。つまり、「あの国まで」を表示している部分を３分割し、第１携帯端末２ａが保存していることを示す「横線」と、第２携帯端末２ｂが保存していることを示す「縦線」と、第３携帯端末２ｃが保存していることを示す「斜線」とを表示する。なお、保存している携帯端末を色で対応づける場合においても同様である。すなわち、３分割した各々の部分を「赤色」「青色」「黄色」で表示分けすればよい。このようにして、音楽データを重複して表示することなく保存している携帯端末を表示することが可能になる。
【００６２】
なお、表示用データを表示部に表示した後に、いずれかの携帯端末の接続が切断された場合には、表示用データで表示している音楽データのうち、切断された携帯端末が保存していた音楽データは再生できないものとなる。このため、携帯端末の接続が切断された際には、その携帯端末が保存している音楽データの表示をグレーアウト表示に変更する。これについて図９及び図１０を用いて説明する。
【００６３】
図９は、車載機３と接続していたいずれかの携帯端末２の接続が切断された際の処理を示すフローチャートである。図９に示すフローチャートは、携帯端末２と車載機３とが接続して、表示用データが表示部に表示されている状態で処理が開始される。
【００６４】
車載機３は、携帯端末２との接続が切断されたか否かを判断する（ステップＳ２０）。いずれの携帯端末２の接続も切断されていない場合には（ステップＳ２０でＮｏ）、処理を終了する。なお、この場合、定期的に切断の有無を判断するようにしてもよい。一方、いずれかの携帯端末２の接続が切断された場合には（ステップＳ２０でＹｅｓ）、切断された携帯端末２の保有する音楽データの表示をグレーアウトする（ステップＳ２１）。
【００６５】
ここで、音楽データをグレーアウト表示する処理について図１０及び図１１を用いて具体的に説明する。図１０及び図１１は、第１携帯端末２ａの接続が切断された際の表示例を示す図である。図１０に示すように、第１携帯端末２ａの接続が切断された際には、車載機３は、第１携帯端末２ａが保存している音楽データ（タイトル「明日から」「あの国まで」「おやすみ」）をグレーアウト表示する。これにより、これらの音楽データは、接続が切断された携帯端末が保存している音楽データであることが把握できる。また、第１携帯端末２ａのユーザを示すアイコンもグレーアウトにすることで、切断された携帯端末と対応付けることができる。
【００６６】
また、図１１に示すように、同じ音楽データを複数の携帯端末２が保存している場合には、接続が切断された携帯端末の部分のみグレーアウト表示させる。これにより、接続が切断された携帯端末と接続が維持されている携帯端末との把握が容易になる。
【００６７】
図９に戻り、車載機３は、携帯端末が切断されてから所定時間が経過したか否かを判断する（ステップＳ２２）。そして、所定時間が経過している場合には（ステップＳ２２でＹｅｓ）、グレーアウトしていた音楽データを非表示にする（ステップＳ２３）。これは、接続が切断された携帯端末が保有する音楽データを無期限にグレーアウト表示し続けると、再生できない音楽データをいつまでも表示することになるが、一定時間が経過した後には、グレーアウト表示していた音楽データを非表示にすることが好ましいためである。
【００６８】
一方、所定時間が経過していない場合には（ステップＳ２２でＮｏ）、車載機３は、接続が切断された携帯端末が再度接続されたか否かを判断する（ステップＳ２４）。これは、携帯端末が一時的に切断されただけであって、短時間のうちに再接続される可能性があるため、それを監視している。携帯端末が再接続されていない場合には（ステップＳ２４でＮｏ）、所定時間が経過したか否かの監視を行う。
【００６９】
一方、接続が切断された携帯端末が再接続した場合には（ステップＳ２４でＹｅｓ）、車載機３は、元の表示を行う（ステップＳ２５）。つまり、車載機３は、グレーアウトしていた音楽データを、携帯端末が切断される前の元の表示を再表示する。具体的には、図７に示すような表示を行う。
【００７０】
このように、携帯端末の接続が切断された際に、その携帯端末が保存している音楽データを直ぐに非表示にするのではなく、一定期間グレーアウト表示しておくことで、一時的に接続が切断された場合に、再度表示用データを作成することなく、元の表示に復帰することが可能になる。また、所定時間内に再接続しない場合には、非表示にすることで再生できない音楽データを長時間表示し続けることを回避することが可能になる。
【００７１】
なお、携帯端末の接続が切断された場合であっても、その携帯端末との対応付けを示していた表示形態は記憶しておくことが好ましい。例えば、第１携帯端末２ａの接続が切断された場合に、第１携帯端末２ａの音楽データであることを示す表示が「縦線」であることを記憶しておき、再接続された際には、再び「縦線」での表示に復帰させることが好ましい。
【００７２】
また、対応付けを示す表示を色で区別している場合にも同様である。第１携帯端末２ａの音楽データであることを示す表示を「赤色」としている場合には、それを記憶しておき、再接続された際に「赤色」での表示に復帰させればよい。このように、携帯端末（ユーザ）毎に表示形態を記憶しておくことで、ユーザは、携帯端末と音楽データとの対応付けを容易に行うことが可能になる。
【００７３】
次に、統合プレイリストから表示用データを作成して表示する際に、各携帯端末２のユーザが自端末に保存されている音楽データを非表示に設定する構成について説明する。上記説明では、各携帯端末２に保存されている音楽データは全て表示用データに含まれて表示されていたが、各ユーザが自身の携帯端末が保存している音楽データの中で他のメンバーに対して非公開にしたいと考える音楽データについては、各ユーザが非公開の設定をすることができるような構成としてもよい。
【００７４】
例えば、第１携帯端末２ａに「明日から」「あの国まで」「おやすみ」の音楽データが保存されているとする。この中から第１携帯端末２ａのユーザが「あの国まで」の音楽データを非公開の設定にすると、車載機３に送信されるプレイリストの当該音楽データには非公開の条件が付与される。そして、車載機３は、表示用データを作成する際に、公開対象の音楽データの中にこの音楽データを含めずに作成することとなり、その結果この音楽データは非表示となる。具体的には、非公開の設定をしない場合には、図７の表示例のように表示されることになるが、非公開の設定をした場合には、図１２のように「あの国まで」の音楽データが表示されない。
【００７５】
また、各携帯端末２が共有する統合プレイリストにも当該音楽データには非公開の条件が付与されている。このため、その音楽データを保存している携帯端末以外の他の携帯端末で統合プレイリストを表示する際にも、非公開の設定された音楽データは非表示となる。つまり、非公開の設定をした携帯端末（その音楽データを元々保存している携帯端末）では表示されるのに対して、それ以外の携帯端末では非表示となる。
【００７６】
これについて図１３を用いて具体的に説明する。図１３（ａ）は、第１携帯端末２ａの表示画面例を示す図であり、図１３（ｂ）は、第１携帯端末２ａ以外の携帯端末の表示画面例を示す図である。これら各携帯端末２で統合プレイリストを表示する際にも、車載機３で表示する場合と同様に、各携帯端末２が表示用データを作成して表示する。
【００７７】
ただし、例えば、第１携帯端末２ａのユーザが自端末で保存するタイトルが「あの国まで」という音楽データを非公開の設定にした場合には、図１３（ａ）に示すように、第１携帯端末２ａでは非公開に設定した「あの国まで」という音楽データも含めて表示されるのに対して、それ以外の携帯端末では、図１３（ｂ）に示すように、非公開にされた「あの国まで」という音楽データが非表示の状態で表示用データが作成及び表示される。これにより、他のメンバーに公開したくない音楽データがある場合であっても、非公開の設定をすることでその音楽データを非表示にすることができる。
【００７８】
なお、非公開の設定は、グループ毎に設定する構成としてもよい。例えば、車載機３に接続されている携帯端末が第１携帯端末２ａと第２携帯端末２ｂと第２携帯端末２ｃである場合にのみ非公開にする等の設定である。つまり、第１携帯端末２ａのユーザが、第２携帯端末２ｂのユーザ及び第３携帯端末２ｃのユーザと車両に同乗している場合には非公開にするといった設定である。したがって、第２及び第３携帯端末のユーザ以外の他のユーザと同乗している場合にはその音楽データは非公開の設定にはしないことになる。
【００７９】
これにより、特定のメンバーに対してのみ特定の音楽データを非公開にするといった設定が可能になる。また、一度ある音楽データについて非公開の設定をした場合に、その際に接続されている他の携帯端末を記憶しておき、同じ携帯端末（ユーザ）と同乗した際には、自動的に同じ音楽データについて非公開の設定をする等の構成としてもよい。また、ある音楽データを非公開に設定した場合には、他者の携帯端末では非表示となるものの、自端末には表示されるため、非公開の設定をした旨を示す表示を付加してもよい。これにより、自身が非公開に設定した音楽データを把握することが可能になる。
【００８０】
次に、車載機３に複数の携帯端末２が接続されている場合における音楽データの再生方法について説明する。本実施の形態では、上述のように、第１携帯端末２ａ〜第３携帯端末２ｃの３台の携帯端末が車載機３と接続されている。
【００８１】
車両内のユーザが車載機３又はいずれかの携帯端末２を操作して再生の指示を入力すると、車載機３及び各携帯端末２が再生処理を開始する。例えば、まず車載機３が第１携帯端末２ａに対して再生の指示を出力すると、第１携帯端末２ａは、自端末が有する音楽データの中からランダムに１曲選曲して再生処理を実行する。すなわち、第１携帯端末２ａは、選曲した音楽データを所定方式のデジタルデータに符号化して車載機３に送信する。車載機３は、第１携帯端末２ａから受信したデジタルデータを複合した後に、Ｄ／Ａ等の処理を行うことでアナログ音声波形信号に変換することによって出力用データを生成する。そして、車載機３は、音声出力部３２から出力用データを音声として出力する。これにより、ユーザは、第１携帯端末２ａで選曲された楽曲を聴くことができる。
【００８２】
なお、音楽データの再生処理は他の方法でも実現可能である。例えば、車載機３が複数の圧縮方式に対応したデコーダを有している場合には、車載機３は、第１携帯端末２ａに保存されている方式そのままの圧縮形式で第１携帯端末２ａから送信された音楽データを受信すると、この受信した音楽データを伸長し、複合し、そしてＤ／Ａ等の処理を行うことによって出力用データを生成することが可能となる。そして、車載機３が、上記と同様に、音声出力部３２から出力用データを音声として出力することによって、ユーザは、第１携帯端末２ａで選曲された楽曲を聴くことができる。
【００８３】
次に、車載機３は、第２携帯端末２ｂに対して再生の指示を出力する。第２携帯端末２ｂは、自端末が有する音楽データの中からランダムに１曲選曲して再生処理を実行する。すなわち、上記と同様に、車載機３は、出力用データを生成し、音声出力部３２から出力用データを音声として出力する。これにより、ユーザは、第２携帯端末２ｂで選曲された楽曲を聴くことができる。
【００８４】
次いで、車載機３は、第３携帯端末２ｃに対して再生の指示を出力する。第３携帯端末２ｃは、自端末が有する音楽データの中からランダムに１曲選曲して再生処理を実行する。すなわち、上記と同様に、車載機３は、出力用データを生成し、音声出力部３２から出力用データを音声として出力する。これにより、ユーザは、第３携帯端末２ｃで選曲された楽曲を聴くことができる。
【００８５】
そして、車載機３は、第１携帯端末２ａに対して再生の指示を出力し、上記と同様の処理を繰り返す。このようにして、本実施の形態では、車載機３に接続されている携帯端末２を順番に選択し、選択された携帯端末に保存されている音楽データをランダムに再生する構成としている。これにより、複数の携帯端末が車両に持ち込まれて接続された場合であっても、特定の携帯端末に保存されている音楽データの再生が多くなるなどの偏った再生が行われることを回避して、均等に再生することが可能となる。
【００８６】
なお、車載機３に接続されている携帯端末が３台である場合に限定されるものではなく、２台であっても４台以上であっても同様である。また、本実施の形態での再生処理を実行中にいずれかの携帯端末の接続が切断された場合には、接続を維持している残りの携帯端末を用いて同様の再生処理を継続すればよい。また、再生する携帯端末の順序も特に限定されるものではなく、再生が均等になるような順番であれば任意に設定することができる。
【００８７】
以上のように、本実施の形態では、車載機３に複数の携帯端末２が接続されている場合において、各携帯端末２が保有する音楽データのリストを車載機３の表示部３３に表示する際に、携帯端末と対応付けて表示することで、いずれの携帯端末に保存されている音楽データであるかを容易に把握することが可能になる。
【００８８】
また、同じ音楽データを複数の携帯端末が保有する場合には、１つのリストを複数に分割して、異なる表示形態（模様や色など）で表示することで、重複した表示を回避するとともに、携帯端末との対応付けも可能となる。
【００８９】
また、接続していた携帯端末の接続が切断された際に、その携帯端末が保有している音楽データのリストをグレーアウトすることで、切断された携帯端末に保存されている音楽データであることを容易に把握することができる。さらに、所定時間が経過した後に非表示することで、再生ができない音楽データをいつまでも表示し続けることを回避することができる。さらに、所定時間内に再接続された場合には、元の表示に復帰させることで、再度表示用データを作成することなく同じ表示が可能となるため、車載機３の処理負荷の軽減が可能になるとともに、ユーザにとってもわかり易い表示をすることができる。
【００９０】
また、ユーザが非公開にしたい音楽データを他のユーザに対しては非表示とすることができるため、利便性を向上させることができる。また、特定のグループの場合に非公開にする音楽データを記憶しておくことで、他の機会に同じグループが接続された際には自動で非公開に設定可能となり、さらなる利便性の向上を図ることができる。
【００９１】
また、車載機と複数の携帯端末とが接続されている場合に、各携帯端末を順番に選択して音楽データを再生するため、特定の携帯端末の音楽データを再生するといった偏りを回避することができる。その結果、均等な再生が可能となる。
【００９２】
＜２．変形例＞
以上、本発明の実施の形態について説明してきたが、この発明は上記実施の形態に限定されるものではなく様々な変形が可能である。以下では、このような変形例について説明する。上記実施の形態及び以下で説明する形態を含む全ての形態は、適宜に組み合わせ可能である。
【００９３】
上記実施の形態では、接続されていた携帯端末の接続が切断された際に、その携帯端末が保有する音楽データをグレーアウトする構成について説明したが、本発明は、これに限定されるものではない。例えば、携帯端末との対応付けを色で区別している場合に、その表示色の濃度を変化させる構成としてもよい。具体的には、第１携帯端末２ａとの対応付けを赤色で示している場合に、第１携帯端末２ａの接続が切断された際には、その赤色の濃度を薄くするなどである。この方法では、非接続状態にある音楽データ等の楽曲がどの携帯端末に記憶されているものかを把握することが可能となる。
【００９４】
また、上記実施の形態では、車載機３と接続されている複数の携帯端末が保有する音楽データの再生方法として、携帯端末を順番に選択し、選択された携帯端末が保存している音楽データをランダムに再生する構成について説明した。ただし、本発明は、これに限定されるものではなく、同じ携帯端末が連続して選択されない構成としてもよい。
【００９５】
具体的には、第１携帯端末２ａ〜第３携帯端末２ｃの３台の携帯端末が車載機３と接続されている場合において、第１携帯端末２ａの保存している音楽データが再生されたとすると、次は、第１携帯端末２ａ以外の携帯端末、すなわち、第２携帯端末２ｂ及び第３携帯端末２ｃのいずれかを選択する構成である。したがって、次の携帯端末として第２携帯端末２ｂが選択されたとすると、第２携帯端末２ｂの保存している音楽データの再生後は、第１携帯端末２ａ及び第３携帯端末２ｃのいずれかが選択されることになる。
【００９６】
このように、同じ携帯端末の保存する音楽データが連続して再生されないように携帯端末を選択する方法を採用しても、偏った再生を回避することが可能になる。
【００９７】
また、再生する携帯端末を選択する際に電池残量を考慮した構成としてもよい。具体的には、車載機３が、各携帯端末２の電池残量を確認し、電池残量が一定値以下の携帯端末は、選択対象から除外する構成である。つまり、各携帯端末２が、自端末の電池残量の情報を車載機３に送信することで、車載機３は各携帯端末２の電池残量を把握することができる。そして、車載機３は、音楽データの再生処理を実行する際に、各携帯端末２の電池残量が一定値以下であると判断した場合には、その携帯端末を選択対象から除外して、他の携帯端末を用いて上述した音楽データの再生処理を実行する。
【００９８】
この場合の一定値以下とは、携帯端末が音楽データの再生処理を実行した場合には、電池残量が略０％になってしまう程に電池残量が少ない状態などを示す。具体的には、３％以下、５％以下、１０％以下などとすればよいが、その値は適宜設定可能である。これにより、音楽データの再生処理を実行したことによって電池残量がなくなってしまうなどの弊害を防止することが可能になる。
【００９９】
また、電池残量が一定値以下の場合に、その携帯端末を選択の対象から除外する構成ではなく、選択はするもののユーザにその旨を報知する構成としてもよい。例えば、電池残量が少ない携帯端末の音楽データを再生する際に、その携帯端末の電池残量が残り少ないことを表示部に表示（ポップアップ表示）するなどである。
【０１００】
また、電池残量を考慮した構成として、電池残量の割合に応じた頻度で選択する構成としてもよい。例えば、第１携帯端末２ａの電池残量が８０％で、第２携帯端末２ｂの電池残量が６０％で、第３携帯端末２ｃの電池残量が４０％である場合、音楽データを９曲再生する間に（携帯端末の選択を９回行う間に）、４回は第１携帯端末２ａを選択し、３回は第２携帯端末２ｂを選択し、２回は第３携帯端末２ｃを選択する構成である。これにより、再生の偏りをなくすことができるとともに、いずれかの携帯端末の電池残量が直ぐになくなってしまうことを回避することができる。
【０１０１】
また、携帯端末が車両の電源から充電している場合には、実際の電池残量よりも残量が多いとして扱う構成としてもよい。また、電池残量が１００％として扱う構成としてもよい。充電中の携帯端末を優先的に使用することで、充電していない携帯端末の電池の消費をできるだけ抑制することができる。
【０１０２】
また、ある音楽データの再生中において、次に再生する音楽データや次の次に再生する音楽データなど、これから再生する予定の音楽データを予め選曲していてもよい。この場合、車載機は、次曲以降に再生する音楽データを予約曲として登録しておく。さらに、車載機が、登録した予約曲をリスト表示した予約リストを表示部に表示する構成としてもよい。
【０１０３】
ここで、予約リストの具体例について説明する。まず、車載機は、曲の再生中に次以降の再生曲を選曲すると、記憶部に予約リストメモリとして種々の情報を記憶する。図１４は、予約リストメモリの例を示す図である。図１４に示すように、予約リストメモリには、例えば、タイトル、アーティスト、保有端末、再生端末、接続フラグ、電池残量、切断経過、及び再生状態などを示す情報が記憶されている。
【０１０４】
タイトル及びアーティストは、再生の予約がされた音楽データのタイトル及びアーティスト名である。保有端末は、予約された音楽データを保有している携帯端末を特定する情報である。その音楽データを保有する携帯端末が複数ある場合には、全ての携帯端末を特定する情報が記憶される。
【０１０５】
再生端末は、予約された音楽データの再生を実行する携帯端末を特定する情報である。その音楽データを保有する携帯端末が１台の場合には、その携帯端末が必然的に再生実行端末になるが、音楽データを保有する携帯端末が複数ある場合には、そのうちのいずれかの携帯端末が再生実行端末となり、その携帯端末を特定する情報が記憶される。例えば、携帯端末を順番に選択していく方法を採用する場合には、当該曲の前の曲の再生端末の次の順番の携帯端末が再生実行端末となる。
【０１０６】
接続フラグは、その音楽データを保有する携帯端末における車載機との接続状態を示すフラグである。このフラグが「接」の場合は接続を示し、「断」の場合は切断を示している。また、電池残量は、音楽データの再生を実行する携帯端末の電池残量を示す情報である。また、切断経過とは、車載機との接続が切断されている携帯端末がある場合に、その接続が切断されてからの経過時間を示す情報である。図１４では、携帯端末２ａが切断されており、接続が切断されてから５分が経過していることを示している。また、再生情報とは、予約された音楽データを再生するか又は保留するかを定めた情報である。再生端末の接続状態など、上述した種々の情報に基づいて定められる。
【０１０７】
このように、予約リストメモリには、種々の情報が記憶されており、車載機は、その記憶されている情報の一部又は全部を予約リストとして表示部に表示する構成とすることができる。そこで、予約リストの表示例について図１５を用いて説明する。
【０１０８】
例えば、タイトル「明日から」アーティスト名「ＺＺＺ」（以下「タイトル／アーティスト名」のように記載する。）の再生中に、車載機は、次に再生する曲として「イノセント／ＹＹＹ」を選曲すると、予約処理を実行し、予約リストメモリに所定の情報を記憶した後に、図１５（ａ）に示すように、予約リストを作成して表示部に表示する。この場合においても、上記実施の形態と同様に、予約された音楽データと、それを保有している携帯端末とを対応付けて表示させる。対応付けの表示は、縦線や横線といった表示形態によって区別をしてもよいし、赤色や青色といったように異なる色によって区別してもよい。
【０１０９】
そして、車載機が、次の次に再生する曲として「アフターダーク／ＸＸＸ」を選曲すると、予約処理を実行して「イノセント／ＹＹＹ」の次に登録し、予約リストメモリを更新するとともに、更新した予約リストを表示する。車載機は、さらにその次に再生する曲として「おやすみ／ＺＺＺ」を選曲すると、予約処理を実行して「アフターダーク／ＸＸＸ」の次に登録し、予約リストを更新するとともに、図１５（ｂ）に示すように、更新した予約リストを表示する。この場合においても、予約された音楽データと、それを保有している携帯端末とを対応付けて表示している。また、図１５（ｂ）の例では、音楽データ「アフターダーク／ＸＸＸ」については、複数の携帯端末が保有している。このため、このような場合には予約リストを複数の表示形態に分割して表示することで、複数の携帯端末が保有していることが把握できるようにしている。以降、これらが繰り返される。このようにして、再生する曲を予約しておくことで、次曲以降に再生する曲を事前に把握しておくことができる。
【０１１０】
なお、予約処理を実行した後に、車載機との接続が切断された携帯端末がある場合、その携帯端末が保有する音楽データの表示は、グレーアウトにする等、接続時とは異なる表示形態にすることが好ましい。その音楽データを保有している携帯端末の接続が切断されていることや、その音楽データの再生ができないことなどを容易に把握することが可能になる。
【０１１１】
また、上記各実施の形態では、プログラムに従ったＣＰＵの演算処理によってソフトウェア的に各種の機能が実現されると説明したが、これら機能のうちの一部は電気的なハードウェア回路により実現されてもよい。また逆に、ハードウェア回路によって実現されるとした機能のうちの一部は、ソフトウェア的に実現されてもよい。
【符号の説明】
【０１１２】
１    コンテンツ出力システム
２    携帯端末
３    車載機
【図１】
2015115681.tif 000003
【図２】
2015115681.tif 000004
【図３】
2015115681.tif 000005
【図４】
2015115681.tif 000006
【図５】
2015115681.tif 000007
【図６】
2015115681.tif 000008
【図７】
2015115681.tif 000009
【図８】
2015115681.tif 000010
【図９】
2015115681.tif 000011
【図１０】
2015115681.tif 000012
【図１１】
2015115681.tif 000013
【図１２】
2015115681.tif 000014
【図１３】
2015115681.tif 000015
【図１４】
2015115681.tif 000016
【図１５】
2015115681.tif 000017